(57)【要約】【課題】パドル開閉の機構が使用される流量スイッチおよび電動ポンプにおいて、パドルがパドルケーシングに固着することを抑制する。【解決手段】リードスイッチ２０を有するベース１５と、ベース１５に固定されたパドルケーシング１６と、パドルケーシング１６に接続されたパドル１７と、リードスイッチ２０を起動させるスイッチ起動手段２１とを備えた流量スイッチ６であって、パドルケーシング１６は液体が流れるパドル流路３６を有し、パドル１７は、水受け部３０、パドル回転軸３１および保持部３２を含み、パドル回転軸３１を介してパドルケーシング１６に接続され、スイッチ起動手段２１は保持部３２に保持され、水受け部３０はパドル流路３６上に配置され、パドルケーシング１６はパドル１７が閉じたときに水受け部３０と接触する突起２２を有することを特徴とする流量スイッチ６およびこれを備えた電動ポンプ１。【選択図】図６
2020118573.tif 000002
【特許請求の範囲】
【請求項１】
リードスイッチを有するベースと、
前記ベースに固定されたパドルケーシングと、
前記パドルケーシングに接続されたパドルと、
前記リードスイッチを起動させるスイッチ起動手段とを備えた流量スイッチであって、
前記パドルケーシングは、液体が流れるパドル流路を有し、
前記パドルは、水受け部、パドル回転軸および保持部を含み、前記パドル回転軸を介して前記パドルケーシングに接続され、
前記スイッチ起動手段は前記保持部に保持され、
前記水受け部は、前記パドル流路上に配置され、
前記パドルケーシングは、前記パドルが閉じたときに前記水受け部と接触する突起を有することを特徴とする流量スイッチ。
【請求項２】
前記突起は、前記パドル流路の周囲における流路縁部に設けられることを特徴とする請求項１に記載の流量スイッチ。
【請求項３】
前記突起は、前記パドル流路の直上には突出せず、前記流路縁部の直上に収まる大きさであることを特徴とする請求項１または２に記載の流量スイッチ。
【請求項４】
前記水受け部の底面における縁部を水受け縁部とすると、
前記突起は、前記パドルが閉じたときにパドル先端部における前記水受け縁部と接触することを特徴とする請求項１〜３の何れか１項に記載の流量スイッチ。
【請求項５】
リードスイッチを有するベースと、
前記ベースに固定されたパドルケーシングと、
前記パドルケーシングに接続されたパドルと、
前記リードスイッチを起動させるスイッチ起動手段とを備えた流量スイッチであって、
前記パドルケーシングは、液体が流れるパドル流路を有し、
前記パドルは、水受け部、パドル回転軸および保持部を含み、前記パドル回転軸を介して前記パドルケーシングに接続され、
前記スイッチ起動手段は前記保持部に保持され、
前記水受け部は、前記パドル流路上に配置され、
前記パドルは、前記パドルが閉じたときに前記パドル流路の周囲における流路縁部と接触する突起を有することを特徴とする流量スイッチ。
【請求項６】
前記水受け部の底面における縁部を水受け縁部とすると、
前記突起は、前記水受け縁部に設けられることを特徴とする請求項５に記載の流量スイッチ。
【請求項７】
前記突起は、パドル先端部における前記水受け縁部に設けられることを特徴とする請求項６に記載の流量スイッチ。
【請求項８】
前記突起は、前記流路縁部と接触するときに、前記パドル流路の直上には突出せず、前記流路縁部の直上に収まる大きさであることを特徴とする請求項５〜７の何れか１項に記載の流量スイッチ。
【請求項９】
請求項１〜８の何れか１項に記載の流量スイッチを備えた電動ポンプ。
【発明の詳細な説明】
【技術分野】
【０００１】
本発明は、流量スイッチまたは流量スイッチ付き電動ポンプに関するものである。
【背景技術】
【０００２】
従来、この種の流量スイッチ付きオートポンプは、吐出口後方に流量スイッチが設けられたものが知られている。（例えば、特許文献１参照）。
【０００３】
以下、そのポンプについて図１２を参照しながら説明する。
【０００４】
図１２に示すように、ポンプ１０１は、電動機１０２、ポンプケーシング１０３、流量スイッチ１０４で構成されている。
【０００５】
ポンプの吐出口１０５側に流量スイッチ１０４が設けられ、この流量スイッチ１０４のパドル１０６が筒状の流路に配置され、配管内部を流れる水によって回転する。この際、パドル１０６に備えられたマグネット１０７が、流路の外側に備えるリードスイッチ１０８に近づき動作することでポンプ１０１が起動する。
【先行技術文献】
【特許文献】
【０００６】
【特許文献１】特開２００９−３６１４９号公報
【発明の概要】
【発明が解決しようとする課題】
【０００７】
このような従来の流量スイッチにおいては、水流がなくパドルが閉じているときに、パドルと流路壁面が面で接触するおそれがある。そして、その面での接触状態が続くと、パドルが流路壁面に固着し、パドルが開閉しづらくなるという課題を有していた。
【０００８】
そこで本発明は、上記従来の課題を解決するものであり、パドルの固着を抑制する流量スイッチを提供することを目的とする。
【課題を解決するための手段】
【０００９】
そして、この目的を達成するために、本発明の一態様に係る流量スイッチは、リードスイッチを有するベースと、前記ベースに固定されたパドルケーシングと、前記パドルケーシングに接続されたパドルと、前記リードスイッチを起動させるスイッチ起動手段とを備えた流量スイッチであって、前記パドルケーシングは、液体が流れるパドル流路を有し、前記パドルは、水受け部、パドル回転軸および保持部を含み、前記パドル回転軸を介して前記パドルケーシングに接続され、前記スイッチ起動手段は前記保持部に保持され、前記水受け部は、前記パドル流路上に配置され、前記パドルケーシングは、前記パドルが閉じたときに前記水受け部と接触する突起を有することを特徴としたものであり、これにより所期の目的を達成するものである。
【００１０】
また、本発明の一態様に係る流量スイッチは、リードスイッチを有するベースと、前記ベースに固定されたパドルケーシングと、前記パドルケーシングに接続されたパドルと、前記リードスイッチを起動させるスイッチ起動手段とを備えた流量スイッチであって、前記パドルケーシングは、液体が流れるパドル流路を有し、前記パドルは、水受け部、パドル回転軸および保持部を含み、前記パドル回転軸を介して前記パドルケーシングに接続され、前記スイッチ起動手段は前記保持部に保持され、前記水受け部は、前記パドル流路上に配置され、前記パドルは、前記パドルが閉じたときに前記パドル流路の周囲における流路縁部と接触する突起を有することを特徴とするとしたものであり、これにより所期の目的を達成するものである。
【発明の効果】
【００１１】
本発明によれば、パドルケーシングまたはパドルが突起を有するという構成にしたことにより、パドルが閉じた時に、パドルケーシングとパドルの接触面積が小さくなるので、パドルケーシングとパドルとの固着を抑制することができ、流量スイッチの誤動作を減少させるという効果を得ることができる。
【図面の簡単な説明】
【００１２】
【図１】本発明の実施の形態１の電動ポンプを示す側判断面の概略図
【図２】同電動ポンプの斜視図
【図３】同流量スイッチ取付部側断面の概略図
【図４】同流量スイッチの分解斜視図
【図５】同パドルの斜視図
【図６】同パドルおよびパドルケーシングの側断面図
【図７】同パドルケーシングの斜視図
【図８】同流量スイッチ取付部における水流発生時の側断面の概略図
【図９】本発明の実施形態２のパドル斜視図
【図１０】同パドルケーシングの斜視図
【図１１】同パドルおよびパドルケーシングの側断面図
【図１２】従来の流量スイッチ付きポンプを示す概略図
【発明を実施するための形態】
【００１３】
本発明の一態様に係る流量スイッチは、本発明に係る流量スイッチは、リードスイッチを有するベースと、ベースに固定されたパドルケーシングと、パドルケーシングに接続されたパドルと、リードスイッチを起動させるスイッチ起動手段とを備えた流量スイッチであって、パドルケーシングは、液体が流れるパドル流路を有し、パドルは、水受け部、パドル回転軸および保持部を含み、パドル回転軸を介してパドルケーシングに接続され、スイッチ起動手段は保持部に保持され、水受け部は、パドル流路上に配置され、パドルケーシングは、パドルが閉じたときに水受け部と接触する突起を有する。
【００１４】
この構成によれば、パドルが閉じた時に、パドルケーシングとパドルの接触面積が小さくなるので、パドルケーシングとパドルとの固着を抑制することができ、流量スイッチの誤動作を減少させるという効果を得られる。
【００１５】
また、突起は、パドル流路の周囲における流路縁部に設けるという構成にしてもよい。
【００１６】
この構成によれば、突起が水流の妨げになりにくい場所に設けられるため、より品質の良いポンプを提供することができる。
【００１７】
また、突起は、パドル流路の直上には突出せず、流路縁部の直上に収まる大きさであるという構成にしてもよい。
【００１８】
この構成によれば、突起が水流の妨げになりにくい場所に設けられるため、より品質の良いポンプを提供することができる。
【００１９】
また、水受け部の底面における縁部を水受け縁部とすると、突起は、パドルが閉じたときにパドル先端部における水受け縁部と接触することを特徴とするという構成にしてもよい。
【００２０】
この構成によれば、突起が水受け縁部と安定した位置で接触できるため、流量スイッチの誤動作を減少させることができる。
【００２１】
本発明の一態様に係る流量スイッチは、リードスイッチを有するベースと、ベースに固定されたパドルケーシングと、パドルケーシングに接続されたパドルと、リードスイッチを起動させるスイッチ起動手段とを備えた流量スイッチであって、パドルケーシングは、液体が流れるパドル流路を有し、パドルは、水受け部、パドル回転軸および保持部を含み、パドル回転軸を介してパドルケーシングに接続され、スイッチ起動手段は保持部に保持され、水受け部は、パドル流路上に配置され、パドルは、パドルが閉じたときにパドル流路の周囲における流路縁部と接触する突起を有するという構成にしてもよい。
【００２２】
この構成によれば、パドルが閉じた時に、パドルケーシングとパドルの接触面積が小さくなるので、パドルケーシングとパドルとの固着を抑制することができ、流量スイッチの誤動作を減少させるという効果を得られる。
【００２３】
また、水受け部の底面における縁部を水受け縁部とすると、突起は、水受け縁部に設けられるという構成にしてもよい。
【００２４】
この構成によれば、突起が水流の妨げになりにくい場所に設けられるため、より品質の良いポンプを提供することができる。
【００２５】
また、突起は、パドル先端部における水受け縁部に設けるという構成にしてもよい。
【００２６】
この構成によれば、突起が流路縁部と安定した位置で接触できるため、流量スイッチの誤動作を減少させることができる。
【００２７】
また、突起は、流路縁部と接触するときに、パドル流路の直上には突出せず、流路縁部の直上に収まる大きさであるという構成にしてもよい。
【００２８】
この構成によれば、突起が水流の妨げになりにくい場所に設けられるため、より品質の良いポンプを提供することができる。
【００２９】
以下、本発明の実施の形態について図面を参照しながら説明する。
【００３０】
（実施の形態１）
図１および図２に示すように、電動ポンプ１はモータ２とポンプケーシング３を備えている。
【００３１】
ポンプケーシング３は吸込口４および吐出口５を備えている。
【００３２】
流量スイッチ６は、ポンプケーシング３の吐出口５側に取付けられている。
【００３３】
モータ２は回転軸１１を備えている。回転軸１１の一端の突出部分にインペラ７が固定される。インペラ７はポンプケーシング３に内包されるように配置される。
【００３４】
インペラ７が固定されている回転軸１１の一端とは反対側において、回転軸１１の他端の突出部分に冷却ファン１０を備えている。ファンカバー９は、モータ２に固定され、冷却ファン１０を覆う。
【００３５】
モータ２頂部に端子カバー８を備えている。端子カバー８はモータ２に固定されている。
【００３６】
モータ２の動力は回転軸１１を介してインペラ７に伝わり、インペラ７が回転する。インペラ７が回転することで、吸込口４から吸い込まれた水（液体）は吐出口５から吐き出される。
【００３７】
図３および図４に示すように、流量スイッチ６は、ベース１５、パドルケーシング１６、パドル１７およびカバー１８で構成されている。
【００３８】
ベース１５は基板１９を設けている。
【００３９】
基板１９は、リードスイッチ２０を備えており、リードスイッチ２０からの信号に基づいて電動ポンプ１をＯＮ／ＯＦＦする回路を有している。カバー１８はベース１５に固定される。
【００４０】
パドルケーシング１６はベース１５に固定される。
【００４１】
図５に示すように、パドル１７は、水受け部３０、パドル回転軸３１、保持部３２およびスプリング３４を備えている。
【００４２】
水受け部３０の底面には水受け縁部３３が設けられている。水受け部３０の先端部はパドル先端部３９である。
【００４３】
パドル１７は、パドル回転軸３１を介してパドルケーシング１６に接続される。
【００４４】
図６に示すように、スイッチ起動手段２１は、マグネット３５などがあり、保持部３２に固定される。
【００４５】
図７に示すように、パドルケーシング１６は、液体が流れるパドル流路３６と流路縁部３８を有している。なお、パドルケーシング１６には、パドル回転軸３１を挿入する挿入口３７が設けられてもよい。
【００４６】
パドル１７がパドルケーシング１６に接続された状態において、パドル１７の水受け部３０は、パドルケーシング１６のパドル流路３６上に配置される。流路縁部３８は突起２２を有する。突起２２はパドル１７が閉まるときに、水受け縁部３３と接触することによって、水受け縁部３３と流路縁部３８の接触する面積を低減する。
【００４７】
上記の構成において、パドルケーシング１６とパドル１７の接触面積が小さくなるので、パドル１７がパドルケーシング１６に固着することを抑制することができる。このため、流量スイッチ６の誤動作を減少させることができ、より品質の良い電動ポンプ１を提供することができる。
【００４８】
電動ポンプ１が起動していない場合であっても、例えば水道の蛇口などを開くことで、パドル流路３６と繋がる水道管の水圧を緩和することより、図８に示す水流４０を生じることができる。
【００４９】
図８に示すように、水受け部３０が水流４０による力を受けると、パドル１７はパドル回転軸３１を中心として開く方向に回転する。そして、パドル１７に備えられたスイッチ起動手段２１がリードスイッチ２０に近づくことでリードスイッチ２０が起動する。リードスイッチ２０の起動信号は基板１９を介してモータ２に伝達され、モータ２が起動する。モータ２が起動するとモータ２の動力は回転軸１１を介してインペラ７に伝わり、インペラ７が回転する。このようなステップで電動ポンプ１が起動して、水流４０を増加することができる。
【００５０】
パドル１７はスプリング３４により常に閉じる方向に力が付与されている。そのため水道の蛇口などを閉じることで、水流４０が減少し、パドル１７はパドル回転軸３１を中心として閉じる方向に回転する。そして、パドル１７に備えられたスイッチ起動手段２１がリードスイッチ２０から遠ざかることでリードスイッチ２０が停止し、電動ポンプ１は停止する。
【００５１】
以下、本実施形態について補足する。
【００５２】
図７において、突起２２は流路縁部３８に設けられ、パドル流路３６の直上には突出せず、流路縁部３８の直上に収まる大きさであることが好ましい。
【００５３】
この構成によれば、突起２２が液体の流路上に存在することを回避することができる。この結果、突起２２は電動ポンプ１が作り出す水流４０の妨げになりにくくすることができるため、より品質の良い電動ポンプ１を提供することができる。
【００５４】
また、突起２２はパドル１７が閉じた時にパドル先端部３９における水受け縁部３３と接触することが好ましい。
【００５５】
この構成によれば、突起２２は水受け縁部３３と安定した位置で接触できるため、流量スイッチ６の誤動作を減少することができる。
【００５６】
また、突起２２はパドル１７が閉まるときに、水受け縁部３３と接触するものであればよいため、流路縁部３８以外の部分（例えば流路縁部３８上方の内壁４１など）に設けられてもよい。
【００５７】
（実施の形態２）
図９、図１０、図１１において、実施の形態１同様の構成要素については同一の符号を付し、その詳細な説明は省略する。
【００５８】
図９に示すように、パドル１７の水受け部３０の水受け縁部３３に突起４２に設けてもよい。突起４２はパドル１７が閉まるときに、流路縁部３８と接触することによって、水受け縁部３３と流路縁部３８の接触する面積を抑制する。
【００５９】
図１０に示すように、本実施形態では、パドルケーシング１６には突起２２を設けていない。
【００６０】
図１１に、本実施形態のパドル１７およびパドルケーシング１６の側断面図を示しておく。
【００６１】
上記の構成において、パドルケーシング１６とパドル１７の接触面積が小さくなるので、パドル１７がパドルケーシング１６に固着することを抑制することができる。このため、流量スイッチ６の誤動作を減少させることができ、より品質の良い電動ポンプ１を提供することができる。
【００６２】
以下、本実施形態について補足する。
【００６３】
突起４２は水受け縁部３３に設けられ、流路縁部３８と接触するときに、パドル流路３６の直上には突出せず、流路縁部３８の直上に収まる大きさであることが好ましい。
【００６４】
この構成によれば、突起４２が液体の流路上に存在することを回避することができる。この結果、突起４２は電動ポンプ１が作り出す水流４０の妨げになりにくくすることができるため、より品質の良い電動ポンプ１を提供することができる。
【００６５】
突起４２はパドル先端部３９における水受け縁部３３に設けられることが好ましい。
【００６６】
この構成によれば、突起４２は流路縁部３８と安定した位置で接触できるため、流量スイッチ６の誤動作を減少することができる。
【００６７】
以上、本発明に係る流量スイッチまたは電動ポンプについて、実施の形態に基づいて説明したが、本発明は、実施の形態に限定されるものではない。本発明の趣旨を逸脱しない限り、当業者が思いつく各種変形を本実施の形態に施したものや、異なる実施の形態における構成要素を組み合わせて構築される形態も、本発明の範囲内に含まれる。
【産業上の利用可能性】
【００６８】
本発明に係る流量スイッチまたは電動ポンプは、パドルとパドルケーシングとの固着を抑制することが可能であるので、パドル開閉の機構を利用する流量スイッチまたは電動ポンプ等として有用である。
【符号の説明】
【００６９】
１    電動ポンプ
２    モータ
３    ポンプケーシング
４    吸込口
５    吐出口
６    流量スイッチ
７    インペラ
８    端子カバー
９    ファンカバー
１０    冷却ファン
１１    回転軸
１５    ベース
１６    パドルケーシング
１７    パドル
１８    カバー
１９    基板
２０    リードスイッチ
２１    スイッチ起動手段
２２    突起
３０    水受け部
３１    パドル回転軸
３２    保持部
３３    水受け縁部
３４    スプリング
３５    マグネット
３６    パドル流路
３７    挿入口
３８    流路縁部
３９    パドル先端部
４０    水流
４１    内壁
４２    突起
１０１    ポンプ
１０２    電動機
１０３    ポンプケーシング
１０４    流量スイッチ
１０５    吐出口
１０６    パドル
１０７    マグネット
１０８    リードスイッチ
【図１】
2020118573.tif 000003
【図２】
2020118573.tif 000004
【図３】
2020118573.tif 000005
【図４】
2020118573.tif 000006
【図５】
2020118573.tif 000007
【図６】
2020118573.tif 000008
【図７】
2020118573.tif 000009
【図８】
2020118573.tif 000010
【図９】
2020118573.tif 000011
【図１０】
2020118573.tif 000012
【図１１】
2020118573.tif 000013
【図１２】
2020118573.tif 000014